(57)【要約】【課題】  本考案は星空の個々の星座の位置、向き、範囲そして星座絵を容易に視認できる星座盤を提供する。【解決手段】  本考案では、透明な平板１枚に個々の星座の主な星の像と星座線を発光塗料で描いた星座透かし見盤Ａを星空にかざすことにより星座を容易に視認できる。また透明な平板１枚に星座絵を発光塗料で描いた星座絵あてはめ盤Ｂを星座透かし見盤Ａに重ねて星空にかざすと、星座絵の位置や向きを容易に視認することができる。星座透かし見盤Ａと星座絵あてはめ盤Ｂは回転可能な留め金具１と回転しないようにする留め金具２により、重ね合わせることと重ね合わせを外すことが可能である。また星座透かし見盤Ａに描かれた赤経線と赤経値、赤緯線と赤緯値、正中日と時刻により概略の星座の方位と高度がわかる。星座境界線、周辺の星座の主な星も描かれているので暗い星々から構成されている星座も容易に視認することができる。【選択図】図１
0003207633.tif 000002
【実用新案登録請求の範囲】
【請求項１】
透明な平板に、発光塗料で星座の星の像と星座線が描かれた星座透かし見盤で構成されることを特徴とする星座盤。
【請求項２】
透明な平板に、発光塗料で星座絵が描かれた星座絵あてはめ盤が、回転可能な留め金具によって前記星座透かし見盤に取り付けられていることを特徴とする請求項１記載の星座盤。
【請求項３】
赤経線と赤経値、赤緯線と赤緯値、概略の正中日と時刻及び星座境界線と周辺の星座の主な星の像が、発光塗料でさらに描かれていることを特徴とする請求項１記載の星座盤。
【考案の詳細な説明】
【技術分野】
【０００１】  この考案は、星空の個々の星座の位置、向き、範囲そして星座絵を容易に視認する道具に関する。
【背景技術】
【０００２】  一般的に使われる星座早見盤は、日時と方角を設定して頭上にかざせば容易に目的の星座の位置がわかる道具である。盤の外周に日付目盛りと時刻目盛りがあり、現在の時刻を設定すると現在の空の星座が、あるいは知りたい日のある時刻を設定するとその日のその時刻の空の星座を知ることができる。その時の空全体は円盤上の切り抜き窓に示されるので、切り抜き窓の方位表示を知りたい方角に合わせ、盤上の表示とその方角を見上げた時の空の星を見比べると星座がわかる。また透明な樹脂でできた球殻状の天球儀の表面に星座を描きその中に頭を入れ、周りを眺めることにより星座を視認するものもある。ここで星座とは、個々の星々をグループ化し、連想される人物、動物、物などの名前を付けたものとする。また連想される人物、動物、物などの形態を絵として表現したものを星座絵とする。
【先行技術文献】
【特許文献】
【０００３】
【特許文献１】実登２５５０５４
【０００４】
【特許文献２】実登３０９６３０６
【０００５】
【特許文献３】実登３００３１９４
【考案の概要】
【考案が解決しようとする課題】
【０００６】  しかしながら以上の技術によれば、一般的な星座盤では盤上に描かれている小さい星座と夜空に広がる星々とを交互に見比べなくてはならず、初心者には使いにくい。また手元は暗いため、懐中電灯やＬＥＤ照明器などにより星座盤上に描かれている星座を明るく照らさなければならない。この時、明るい手元から空を見上げても暗い星々をすぐには視認できない。【０００７】  また透明な天球儀の表面に星座を描き内側から覗き見る形式のものは、観察者が中に頭を入れる必要があり、また回転機構や水平の保持が不可欠であり、装置が複雑である。【０００８】  そこで、この考案は、星空に星座盤をかざすだけで目的とする星座の位置や向き、範囲が容易にわかり、さらに星座絵を星空にあてはめられることを提供することを目的とする。
【課題を解決するための手段】
【０００９】  第一の考案による星座盤は、透明な平板に発光塗料で星座の星の像と星座線が描かれた星座透かし見盤で構成される。【００１０】  第二の考案による星座盤は、透明な平板に発光塗料で星座絵が描かれた星座絵あてはめ盤が、回転可能な留め金具によって星座透かし見盤に取り付けられている。【００１１】  第三の考案による星座盤は、赤経線と赤経値、赤緯線と赤緯値、概略の正中日と時刻及び星座境界線と周辺の星座の主な星の像が、発光塗料で星座透かし見盤に描かれている。
【考案の効果】
【００１２】  星座透かし見盤と星座絵あてはめ盤を重ねて星空にかざすだけで容易に星座と星座絵を視認することができる。
【図面の簡単な説明】
【００１３】
【図１】この考案の形態詳細を示す正面図である。
【図２】星座透かし見盤の形態詳細を示す正面図である。
【図３】星座絵あてはめ盤の形態詳細を示す正面図である。
【図４】回転可能な留め金具である。
【図５】この考案の実施形態を示す斜視図である。
【図６】星座透かし見盤だけを用いる時の実施形態を示す斜視図である。
【考案を実施するための形態】
【００１４】  図１は、後述する星座透かし見盤Ａと星座絵あてはめ盤Ｂを重ねた時の状態を示す。図１において、１は星座透かし見盤Ａと星座絵あてはめ盤Ｂを回転可能にするための留め金具である。２は星座透かし見盤Ａと星座絵あてはめ盤Ｂを回転しないようにするための留め金具であり、差し込んで留める凸型金具やマグネットを用いた固定金具などの単純な留め金具である。
【００１５】  図２は星座透かし見盤Ａの形態詳細を示す正面図である。１０は透明な平板である。１１は透明な平板に発光塗料で描かれた、星座に含まれる星の像を示す。図ではオリオン座を例としている。視認できる星は、１等星より明るい星、１等星、２等星、３等星、４等星、５等星、６等星まである。しかし空気中の水蒸気量、月光、市街光などに影響されて暗い星は視認できなくなるので、４等星程度まで透明な平板に描く。そして星の明るさに応じて描く大きさを変える。これらの星の像は黄色で塗りつぶした円とする。ただし描く星の明るさの範囲や色、形状はこの限りではない。
【００１６】  図の例では「オリオン座」が単一に描かれているが、小さい星座が隣り合っている場合、小さい星座と大きい星座が隣り合っている場合などは複数の星座を一緒に描いても良い。
【００１７】  １２は透明な平板１０に発光塗料で描かれた星座線を示す。星座に含まれる主だった星を結ぶ線である。赤色の線で描くが、この色の限りではない。
【００１８】  １３は透明な平板１０に発光塗料で描かれた星座境界線を示す。緑色の線で描くが、この色の限りではない。
【００１９】  １４は透明な平板１０に発光塗料で描かれた赤経線を示す。橙色の線で描くが、この色の限りではない。この赤経線は、対象の星座が今どの方角にあるかを判断する時に用いる。すなわち対象の星座の正中時刻には、真北を背にして真南を見上げた時に正面の、下記［００２１］の高度に見ることになる。
【００２０】  １５は赤経線の赤経値で単位は時である。一周３６０度を２４時で分割した時の値を示しており、１時は角度の１５度に相当する。天の赤道の春分点を０時として東回りに１時、２時、３時、‥‥‥‥、２２時、２３時と割り振られる。
【００２１】  １６は透明な平板１０に発光塗料で描かれた赤緯線を示す。橙色の線で描くが、この色の限りではない。この赤緯線は、対象の星座が今どの高度にあるかを判断する時に用いる。すなわち対象の星座の正中時刻には、真北を背にして真南方向を見上げた時に、
高度＝（９０度−観察者の居る場所の緯度の値）＋（星座の中心の赤緯値）
から計算される高度に見ることができる。例えば北緯３５度の場所では図１に例として示したオリオン座の中心は赤緯が約０度なので高度は約５５度となる。中天より少し上方にある。高度が負の値になった時は地平線下にある。高度が９０度より大きい値の場合は、１８０度からその値を引いて、真北を向いてその高度を見上げれば良い。
【００２２】  １７は赤緯線の赤緯値で単位は度である。天の赤道を赤緯０度として北と南へ１０度毎に割り振られ、天の北極が赤緯＋９０度、天の南極が赤緯−９０度となる。南半球で天の南極を中心としたいろいろな星座を観測する時には、［００２１］で示した式の観測者の緯度の値は南緯の値にし、星座の中心の赤緯値は符号を逆にして計算すればよい。これにより日本では見ることのできない南の星座にも対応できる。
【００２３】  １８は透明な平板１０に発光塗料で描かれた各赤経線のおおよその正中日と時刻を示す。正中は午後８時を標準とする。日にちが１５日前だと正中するのは１時間遅い。１５日経過後には正中は１時間早くなる。その日に限ると、１時間前ではその赤経線の時刻から１時を引いた時刻の赤経線が正中する。１時間後では１時を加えた値の赤経線が正中する。その他の日にちや時刻の場合には内挿あるいは外挿すると位置が推察できる。
【００２４】  １９は透明な平板１０に描かれた星座の周辺にある星座の主な星の像を示す。図のオリオン座の例では右上に「おうし座」の一部があり、「おうし座」の１等星であるアルデバランが描かれている。また左の中程には「こいぬ座」の一部があり、「こいぬ座」の１等星であるプロキオンが描かれている。左上には「ふたご座」の一部の星が描かれている。
【００２５】  このように周辺の星の像１９も描ける範囲で描くことにより、明るい星がない星座を視認する時にこの周辺の星座の星の像１９を指標に視認が可能となる。
【００２６】  ２０は透明な平板１０に開けられた丸穴を示す。この穴は星座透かし見盤Ａと星座絵あてはめ盤Ｂを固定するための、回転可能な留め金具１を取り付けるための穴である。２１は簡単に取り外し可能な留め金具２を取り付けるための穴である。
【００２７】  星座透かし見盤Ａのみで星座を視認する時には図１の２の留め金具を外し、星座絵あてはめ盤Ｂを下方に回転させる。さらに星座透かし見盤Ａに星座絵あてはめ盤Ｂを重ねて星座絵２３も視認する時は逆に左上に回転させ、２１に留め金具２を装着して固定する。
【００２８】  図３は星座絵あてはめ盤Ｂの形態詳細を示す正面図である。２２は透明な平板を示す。２３は透明な平板に発光塗料で描かれた星座絵を示す。図の例ではオリオン座である。青色の発光塗料で描くが、この色の限りではない。
【００２９】  図４は星座透かし見盤Ａと星座絵あてはめ盤Ｂを重ねるための回転可能な留め金具１の外観図と断面図である。１ａはメスねじを備えた金具の断面図である。１ｂはオスねじを備えた金具の断面図であり、１はこの二つの金具を組み合わせた状態の外観図を示す。１ａと１ｂの金具の間に星座透かし見盤Ａと星座絵あてはめ盤Ｂの２枚の平板１０と２２を挟む。
【００３０】  二枚の平板１０，２２を重ねるには、蝶番を平板の上辺あるいは下辺に備える方法、蝶番を右辺あるいは左辺に備える方法があるが、見上げやすい角度に固定する必要があり、かざした時に不安定である。スライドレールを上辺と下辺に備える方法もあるが構造が複雑になる。また４つの角を挟み込む金具を備える方法もあるが、取り付け取り外しに手間がかかる。したがって、図４のような回転可能な留め金具１を用いるのが簡単で扱いやすい。
【００３１】  上述した星座透かし見盤Ａと星座絵あてはめ盤Ｂを用いて星座及び星座絵を観測する様子を、図５に実施形態として示す。４０は夜空の星を示す。４１は夜空を見上げる観察者の目を表す。４２は観察者の目線である。
【００３２】  星座盤は、描かれる実際の星座が大きい、すなわち星座の領域が広い時は縮小して描かれる。逆に、実際の星座が小さい時、すなわち星座の領域が狭い時は拡大して描いても良い。また、隣り合っている大きい星座と小さい星座、隣り合っている複数の小さい星座、などの組み合わせで複数描いても良い。
【００３３】  星空にかざす時は、星座盤を目から約３０ｃｍ離す。しかし拡大して描いた星座の場合は標準の大きさの星座の場合より目から離し、縮小して描いた星座の場合は目に近づける。これによりいろいろな大きさの星座に対応して視認できることになる。
【００３４】  星座透かし見盤Ａのみを用いて星座を観測する様子を、図６に実施形態として示す。図１の留め金具２を外し、留め金具１を中心に星座絵あてはめ盤Ｂを反時計回りに回転させることで、この図のように星座透かし見盤Ａのみを使用することができる。
【００３５】  図６によれば、星座透かし見盤Ａに星の像１１と星座線１２、星座境界線１３、赤経線１４と赤経値１５、赤緯線１６と赤緯値１７が描かれ、さらに正中する日付と時刻１８が描かれていることにより、星座の位置、範囲、大きさそして向きが容易にわかることになる。そして周辺の星座の主な星の像１９も描かれているので、暗い星々からなる星座もこの星の像１９を指標に視認できることになる。
【００３６】  また、二枚の透明な平板１０，２２は、透明なシート状のものでも良い。
【符号の説明】
【００３７】  Ａ    星座透かし見盤を表す。
Ｂ    星座絵あてはめ盤を表す。
１    回転可能な留め金具を表す。
１ａ  回転可能な留め金具のメス金具の断面図を表す。
１ｂ  回転可能な留め金具のオス金具の断面図を表す。
２    簡単な留め金具を表す。
１０  星座透かし見盤である透明な平板を表す。
１１  星の像を表す。
１２  星座線を表す。
１３  星座境界線を表す。
１４  赤経線を表す。
１５  赤経値を表す。
１６  赤緯線を表す。
１７  赤緯値を表す。
１８  概略の正中日と時刻を表す。
１９  周辺の星座の主な星の像を表す。
２０  回転可能な留め金具の取付孔を表す。
２１  留め金具の取付孔を表す。
２２  星座絵あてはめ盤である透明な平板を表す。
２３  星座絵を表す。
４０  星を表す。
４１  観察者の目を表す。
４２  観察者の目線を表す。
【図１】
0003207633.tif 000003
【図２】
0003207633.tif 000004
【図３】
0003207633.tif 000005
【図４】
0003207633.tif 000006
【図５】
0003207633.tif 000007
【図６】
0003207633.tif 000008